(57)【特許請求の範囲】
【請求項１】
ＩＳＤＮ（サービス総合デジタル網）用のＴＡ（ターミナルアダプタ）が有しているデジタルポートに接続して、Ｇ３ファクシミリとＧ４ファクシミリを受信するＧ４通信制御部と、前記ＴＡが有しているアナログポートに接続して、Ｇ３ファクシミリを受信するＧ３通信制御部と、前記デジタルポートへの着呼がＧ４ファクシミリ通信か、あるいはＰＳＴＮ（公衆電話交換網）回線からのＧ３ファクシミリ通信もしくは電話であるかを判断し、ＰＳＴＮ回線からのＧ３ファクシミリ通信もしくは電話である場合には、前記Ｇ４通信制御部でのＧ３着呼機能を禁止するように制御する制御手段を備えることを特徴とするファクシミリ装置。
【請求項２】
ＩＳＤＮ（サービス総合デジタル網）用のＴＡ（ターミナルアダプタ）が有しているデジタルポートに接続して、Ｇ３ファクシミリとＧ４ファクシミリを受信するＧ４通信制御部と、前記ＴＡが有しているアナログポートに接続して、Ｇ３ファクシミリを受信するＧ３通信制御部と、前記デジタルポートへの着呼がＧ４ファクシミリ通信か、あるいはＰＳＴＮ（公衆電話交換網）回線からのＧ３ファクシミリ通信もしくは電話であるかを判断し、ＰＳＴＮ回線からのＧ３ファクシミリ通信もしくは電話であると判断した場合であって、前記Ｇ４通信制御部でのＧ３着呼機能を禁止するように設定されている場合には、前記Ｇ４通信制御部でのＧ３着呼機能を禁止するように制御する制御手段を備えることを特徴とするファクシミリ装置。
【請求項３】
ＩＳＤＮ（サービス総合デジタル網）用のＴＡ（ターミナルアダプタ）が有しているデジタルポートに接続して、Ｇ３ファクシミリとＧ４ファクシミリを受信するＧ４通信制御部と、前記ＴＡが有しているアナログポートに接続して、Ｇ３ファクシミリを受信するＧ３通信制御部とを有するファクシミリ装置のファクシミリ通信方法において、前記デジタルポートへの着呼がＧ４ファクシミリ通信か、あるいはＰＳＴＮ（公衆電話交換網）回線からのＧ３ファクシミリ通信もしくは電話であるかを判断し、ＰＳＴＮ回線からのＧ３ファクシミリ通信もしくは電話である場合には、前記Ｇ４通信制御部でのＧ３着呼機能を禁止するように制御することを特徴とするファクシミリ装置のファクシミリ通信方法。
【請求項４】
ＩＳＤＮ（サービス総合デジタル網）用のＴＡ（ターミナルアダプタ）が有しているデジタルポートに接続して、Ｇ３ファクシミリとＧ４ファクシミリを受信するＧ４通信制御部と、前記ＴＡが有しているアナログポートに接続して、Ｇ３ファクシミリを受信するＧ３通信制御部とを有するファクシミリ装置のファクシミリ通信方法において、前記デジタルポートへの着呼がＧ４ファクシミリ通信か、あるいはＰＳＴＮ（公衆電話交換網）回線からのＧ３ファクシミリ通信もしくは電話であるかを判断し、ＰＳＴＮ回線からのＧ３ファクシミリ通信もしくは電話であると判断した場合であって、前記Ｇ４通信制御部でのＧ３着呼機能を禁止するように設定されている場合には、前記Ｇ４通信制御部でのＧ３着呼機能を禁止するように制御することを特徴とするファクシミリ装置のファクシミリ通信方法。
【発明の詳細な説明】
【０００１】
【発明の属する技術分野】
本発明は、ファクシミリ装置及びファクシミリ装置のファクシミリ通信方法に関し、より詳細には、公衆電話交換網でＧ３ファクシミリを、サービス総合デジタル網でＧ３ファクシミリとＧ４ファクシミリ受信できるファクシミリ装置及びファクシミリ装置のファクシミリ通信方法に関する。
【０００２】
【従来の技術】
デジタル回線でＧ３ファクシミリとＧ４ファクシミリを受信する機能を持つファクシミリ装置が利用されていることは知られている（例えば、特開平６−３７９６６号公報）。
【０００３】
一般にファクシミリ装置は、図１に示すように、ターミナルアダプタ１１を介してファクシミリ制御部１２に制御されるＧ４通信制御部１３及びＧ３通信制御部１４が、サービス総合デジタル網（以下、ＩＳＤＮという）に接続されている。
【０００４】
このような構成において、公衆電話交換網（以下、ＰＳＴＮという）経由で、
（イ）電話が掛かってきた場合、ターミナルアダプタ１１はデジタル・アナログの両方のポートに対して着呼を通知するためＧ４通信制御部１３がＧ３ＦＡＸとして応答し、電話を受けることができない場合が発生する。また、電話でなく、
（ロ）Ｇ３ＦＡＸが送信されてきた場合は、Ｇ３通信制御部１４とＧ４通信制御部１３が同時に着呼してしまい、どちらも着呼できない不具合が生じる。
【０００５】
例えば、Ｇ４通信制御部１３が着信を通知するが、同時にＧ３通信制御部１４も着信を検知しているため、ファクシミリ制御部１２が着信を拒否する。一方、ターミナルアダプタ１１は、デジタルポートの方で通信が成立したので、アナログポートでの呼出しを中断する。その結果、デジタルポートでもアナログポートでも受信できない状況が発生する。また、このとき、発呼側には通信料金が課金されることになる。
【０００６】
更に、このような状況が発生していることは、ユーザにはわかりずらいという問題点があった。
【０００７】
【発明が解決しようとする課題】
本発明は、上述のような実情に鑑みてなされたもので、ＰＳＴＮ経由で電話が掛かってきた場合でも、Ｇ３通信制御部１４で確実に受信することができ、Ｇ３通信制御部１４でもＧ４通信制御部１３でも受信できない状況を回避したファクシミリ装置及びファクシミリ方法を提供するものである。
【０００８】
【課題を解決するための手段】
請求項１の発明は、ＩＳＤＮ（サービス総合デジタル網）用のＴＡ（ターミナルアダプタ）が有しているデジタルポートに接続して、Ｇ３ファクシミリとＧ４ファクシミリを受信するＧ４通信制御部と、前記ＴＡが有しているアナログポートに接続して、Ｇ３ファクシミリを受信するＧ３通信制御部と、前記デジタルポートへの着呼がＧ４ファクシミリ通信か、あるいはＰＳＴＮ（公衆電話交換網）回線からのＧ３ファクシミリ通信もしくは電話であるかを判断し、ＰＳＴＮ回線からのＧ３ファクシミリ通信もしくは電話である場合には、前記Ｇ４通信制御部でのＧ３着呼機能を禁止するように制御する制御手段を備えることを特徴とし、もって、ＰＳＴＮ経由で電話が掛かってきた場合でも確実に受信できるようにしたものである。
【０００９】
請求項２の発明は、ＩＳＤＮ（サービス総合デジタル網）用のＴＡ（ターミナルアダプタ）が有しているデジタルポートに接続して、Ｇ３ファクシミリとＧ４ファクシミリを受信するＧ４通信制御部と、前記ＴＡが有しているアナログポートに接続して、Ｇ３ファクシミリを受信するＧ３通信制御部と、前記デジタルポートへの着呼がＧ４ファクシミリ通信か、あるいはＰＳＴＮ（公衆電話交換網）回線からのＧ３ファクシミリ通信もしくは電話であるかを判断し、ＰＳＴＮ回線からのＧ３ファクシミリ通信もしくは電話であると判断した場合であって、前記Ｇ４通信制御部でのＧ３着呼機能を禁止するように設定されている場合には、前記Ｇ４通信制御部でのＧ３着呼機能を禁止するように制御する制御手段を備えることを特徴とし、もって、ユーザは意識することなく、Ｇ３通信制御部でもＧ４通信制御部でも受信できないという状況を回避したものである。
【００１０】
請求項３の発明は、ＩＳＤＮ（サービス総合デジタル網）用のＴＡ（ターミナルアダプタ）が有しているデジタルポートに接続して、Ｇ３ファクシミリとＧ４ファクシミリを受信するＧ４通信制御部と、前記ＴＡが有しているアナログポートに接続して、Ｇ３ファクシミリを受信するＧ３通信制御部とを有するファクシミリ装置のファクシミリ通信方法において、前記デジタルポートへの着呼がＧ４ファクシミリ通信か、あるいはＰＳＴＮ（公衆電話交換網）回線からのＧ３ファクシミリ通信もしくは電話であるかを判断し、ＰＳＴＮ回線からのＧ３ファクシミリ通信もしくは電話である場合には、前記Ｇ４通信制御部でのＧ３着呼機能を禁止するように制御することを特徴とし、
請求項４の発明は、ＩＳＤＮ（サービス総合デジタル網）用のＴＡ（ターミナルアダプタ）が有しているデジタルポートに接続して、Ｇ３ファクシミリとＧ４ファクシミリを受信するＧ４通信制御部と、前記ＴＡが有しているアナログポートに接続して、Ｇ３ファクシミリを受信するＧ３通信制御部とを有するファクシミリ装置のファクシミリ通信方法において、前記デジタルポートへの着呼がＧ４ファクシミリ通信か、あるいはＰＳＴＮ（公衆電話交換網）回線からのＧ３ファクシミリ通信もしくは電話であるかを判断し、ＰＳＴＮ回線からのＧ３ファクシミリ通信もしくは電話であると判断した場合であって、前記Ｇ４通信制御部でのＧ３着呼機能を禁止するように設定されている場合には、前記Ｇ４通信制御部でのＧ３着呼機能を禁止するように制御することを特徴とし、もって、ユーザは意識することなく、Ｇ３通信制御部でもＧ４通信制御部でも受信できないという状況を回避するものである。
【００１１】
【発明の実施の形態】
図２は、本発明の実施例を示すファクシミリ装置の概略構成図で、図中、１はスキャナ部、２はファクシミリ制御部、３はプロッタ部、４は操作表示部、５は画情報等記憶（ＳＡＦ）部、６はページメモリ、７は画情報圧縮制御（ＤＣＲ）部、８はＧ３通信制御部、９はＧ４通信制御部である。
【００１２】
本発明のファクシミリ装置は、ＰＳＴＮ回線でＧ３ファクシミリを、ＩＳＤＮ回線でＧ３ファクミリとＧ４ファクシミリを受信できる機能を有していて、接続形態は図１と同じである。また、ファクシミリ制御部２は、Ｇ４通信制御部９でのＧ３着呼を禁止するスイッチを有している。
【００１３】
このような接続形態において、ＰＳＴＮより発呼されてきた場合、ターミナルアダプタは、デジタルポートとアナログポートの両方を呼び出す。
【００１４】
このとき、Ｇ４通信制御部９は、ＩＳＤＮのＤチャンネル，レイヤ３のプロトコルメッセージＳＥＴＵＰ（呼設定要求）を調ベ、（Ｇ４ＦＡＸの呼）か、（Ｇ３ＦＡＸの呼又は電話）かを判断してファクシミリ制御部２へ通知する。
【００１５】
なお、ＰＳＴＮからＩＳＤＮへ発呼された場合、前記プロトコルメッセージＳＥＴＵＰを解析してもＧ３ＦＡＸか電話かの区別はつかない。
【００１６】
ファクシミリ制御部２が（Ｇ３ＦＡＸの呼又は電話）であると通知されたときは、ＩＳＤＮ回線でＧ４通信制御部９へ着呼を禁止するかどうかのスイッチを調べ、禁止されている場合は、（Ｇ４通信制御部９へ着呼の）禁止を通知する。
【００１７】
また、Ｇ４通信制御部９は、ＩＳＤＮのＤチャンネル，レイヤ３のプロトコルメッセージＳＥＴＵＰ（呼設定要求）を調べ、ファクシミリ制御部２へ発呼先電話番号を通知する。ファクシミリ制御部２は、記憶しているＧ３通信制御部８の自局番と比較し、一致している場合は、Ｇ４通信制御部９でのＧ３ファクシミリの着呼を禁止するスイッチを自動的にオンに設定する。
【００１８】
【発明の効果】
本発明によれば、ＰＳＴＮ経由で電話が掛かってきた場合でも、Ｇ４通信制御部でのＧ３ファクシミリ着呼を禁止するスイッチをオンにしていれば、Ｇ３通信制御部で確実に受信することができる。
【００１９】
また、ユーザは意識することなく、Ｇ３通信制御部でもＧ４通信制御部でも受信できないという状況を回避することができる。
【図面の簡単な説明】
【図１】  本発明が適用されるファクシミリ制御部とデジタル回線との接続形態を示す図である。
【図２】  本発明の実施例を示すファクシミリ装置の概略構成図である。
【符号の説明】
１…スキャナ、２…ファクシミリ制御部、３…プロッタ、４…操作表示部、５…画情報等記憶（ＳＡＦ）部、６…ページメモリ、７…画情報圧縮制御（ＤＣＲ）部、８…Ｇ３通信制御部、９…Ｇ４通信制御部、１１…ターミナルアダプタ、１２…ファクシミリ制御部、１３…Ｇ４通信制御部、１４…Ｇ３通信制御部、１５…受話器。
【図１】
0003641125.tif 000002
【図２】
0003641125.tif 000003